(57)【要約】      （修正有）【課題】ハンドドライヤーとその他の複数の電気機器が設置されるトイレ空間において、電気配線の簡略化とハンドドライヤーの使い勝手を向上させることを目的としている。【解決手段】トイレ内の壁７に水平方向に連立して、手洗い器または洗面器１と、電源を必要とする機器の機能部を収納するための収納部９が設けられ、その前面にハンドドライヤー３が設置されたことを特徴とするハンドドライヤーの設置構造にすることで、複数の電気差込口が近くに設けられ、電気配線５をまとめることができる。また、収納部の前面にハンドドライヤー３を設置することで、洗面器１との距離が短くなり、使い易くなる。【選択図】図４
2006280450.tif 000002
【特許請求の範囲】
【請求項１】
トイレ空間内に設置されるハンドドライヤーの設備ユニットにおいて、トイレ内の壁に水平方向に連立して、手洗い器または洗面器と、電源を必要とする機器の機能部を収納するための収納部とが設けられ、前記収納部内または近傍に電源差込口が備えられ、前記収納部の前面にハンドドライヤーが設置されたことを特徴とするハンドドライヤー設備ユニット。
【請求項２】
トイレ空間内に設置されるハンドドライヤーの設備ユニットにおいて、トイレ内の壁に水平方向に連立して、複数の手洗い器または洗面器が設けられ、前記複数の手洗い器または洗面器の間に電源を必要とする機器の機能部を収納するための収納部が設けられ、前記収納部内または近傍に電源差込口が設けられ、前記収納部の前面にハンドドライヤーが設置されたことを特徴とするハンドドライヤー設備ユニット。
【発明の詳細な説明】
【技術分野】
【０００１】
本発明は、洗面所などに設置されるハンドドライヤーに係り、特に、電気配線及び洗面所におけるハンドドライヤーの使い勝手に好適なハンドドライヤー設備ユニットに関する発明である。
【背景技術】
【０００２】
従来のハンドドライヤーは、手洗い器または洗面器が設置されている壁と垂直な壁に設置されている（例えば、特許文献１参照。）。
【０００３】
従来洗面所等に設置される電源を必要とする機器の機能部（例：手洗い器または洗面器に温水を供給するための機能部、手洗い器または洗面器に水を供給するための機能部など）は、手洗い器または洗面器の真下に設置されている（例えば、特許文献２参照。）。
【特許文献１】特開2000-29380号公報（第５頁、第５図、洗面器-１-）
【特許文献２】特開2004-324972号公報（第６頁、第４図）
【発明の開示】
【発明が解決しようとする課題】
【０００４】
しかしながら、上述した従来のハンドドライヤーの設置構造においては以下のような問題がある。図１から図３で発明が解決しようとする課題について説明する。図１は、貯湯式温水器の機能部とハンドドライヤーを従来の設置位置に設置した時の電気配線である。（Ａ）は貯湯式温水器の機能部とハンドドライヤーの取り付け壁が違う場合の図、（Ｂ）貯湯式温水器の機能部とハンドドライヤーの取り付け壁が同じ場合の図である。図２は、洗面器とハンドドライヤーを連立して設けた場合のハンドドライヤーを使用する際の動線を示したものである。図３は、複数の洗面器が設置されている壁と垂直な壁にハンドドライヤーを設けた場合のハンドドライヤーを使用する際の動線を示したものである。
【０００５】
従来の技術を用いて、トイレ空間内に手洗い器または洗面器、ハンドドライヤー、その他の電源を必要とする機器（例えば貯湯式温水器）を設置する場合は主に以下に示す２つのパターンに分けられる。１つめのパターンとして図１（Ａ）のように、貯湯式温水器の機能部とハンドドライヤーの取り付け壁が違う場合は貯湯式温水器の機能部２が壁７に取り付けられ、ハンドドライヤー３は壁６に取り付けられている。そのことで、ハンドドライヤーの電気配線５Ａを壁６内に、貯湯式温水器の機能部２への電気配線５Ｂを壁７内に施工しなくてはならない。
また、２つめのパターンとして図１（Ｂ）のように貯湯式温水器の機能部とハンドドライヤーの取り付け壁が同じ場合においても、図１（Ｂ）に示すようにそれぞれの機能部の設置位置がばらばらであるため、壁７内に電気配線５Ａ、５Ｂを取り回しが必要で、且つコンセント４をそれぞれの機器別に設置しなければならない。
このように、電源を必要とする機器の機能部の取り付け位置がばらばらであると、電気配線の取りまわしが複雑となり施工がしにくいという問題があった。
【０００６】
また、手洗い器または洗面器に連立してハンドドライヤーを設置する場合は、図２のように、手洗い器または洗面器１に連立してハンドドライヤー３が同じ壁に直接取り付けてあると、手を乾かす際に、奥に手を伸ばさなければならなくなり、手の移動距離が長くなる、腰を曲げなければならないなどの理由から、手を乾かし難いという問題があった。また、腰を曲げてハンドドライヤーに手を伸ばす際に、洗面器に服等がかかり、使用者の服が濡れてしまう場合もあった。また、ハンドドライヤー使用時に次の人が手洗いをすると水跳ねによって、ハンドドライヤー使用者が濡れるという問題点もあった。
【０００７】
手洗い器または洗面器が複数連立している場合は、図３のように、複数の手洗い器または洗面器１が壁７に設置され、ハンドドライヤー３が壁６に設置されているので、左側の手洗い器または洗面器１で手を洗った人は右側の手洗い器または洗面器１の前を通って、ハンドドライヤー３に行かなくてはならず、右側の手洗い器または洗面器１に人が並んでいた場合、それを横切らなくてはならず、混雑の原因となるという問題があった。また、左側の洗面器の使用者はハンドドライヤーに向かう途中に水が床に垂れてしまうなどの問題点もある。
【０００８】
本発明は、上記問題を解決するためになされたもので、本発明の課題は、ハンドドライヤーとその他の複数の電気機器が設置されるトイレ空間において、電気配線の簡略化とハンドドライヤーの使い勝手を向上させることを目的としている。
【課題を解決するための手段】
【０００９】
上記目的を達成するために請求項１記載の発明によれば、トイレ空間内に設置されるハンドドライヤーの設備ユニットにおいて、トイレ内の壁に水平方向に連立して、手洗い器または洗面器と、電源を必要とする機器の機能部を収納するための収納部とが設けられ、前記収納部内または近傍に電源差込口が備えられ、前記収納部の前面にハンドドライヤーを設置したことを特徴としている。
【００１０】
上記目的を達成するために請求項２記載の発明によれば、トイレ空間内に設置されるハンドドライヤーの設備ユニットにおいて、トイレ内の壁に水平方向に連立して、複数の手洗い器または洗面器が設けられ、前記複数の手洗い器または洗面器の間に電源を必要とする機器の機能部を収納するための収納部が設けられ、前記収納部内または近傍に電源差込口が設けられ、前記収納部の前面にハンドドライヤーを設置したことを特徴としている。
【００１１】
このような構成にすることで、トイレ内の電源を必要とする機器を一箇所に集約することで、電源配線の簡略化ができるだけでなく、その機能部を収納部で覆うことにより、洗面器等からの水はねにより機能部自体にに防水処理を施す必要がなくなる。また、その収納部の前面にハンドドライヤーを設置することで、直接壁にハンドドライヤーが設置されていた場合は、ハンドドライヤーまでの距離が遠いため、腰を曲げなければならないなどの理由から、手を乾かし難いという問題も同時に解決することができる。
【発明の効果】
【００１２】
本発明によれば、ハンドドライヤーとその他の複数の電気機器が設置されるトイレ空間において、電気配線が簡略化できるとともにハンドドライヤーの使い勝手を向上させることができる。
【発明を実施するための最良の形態】
【００１３】
以下、添付図面を参照して本発明のハンドドライヤー設備ユニットの実施形態について説明する。図４は、本発明による洗面器、ハンドドライヤー、収納部の設置構造である。また、その時の電気配線と手洗い時の人の動作距離も示している。（Ａ）は平面図、（Ｂ）正面図である。図５は、図４における収納部の内部の納まりである。（Ａ）は正面図、（Ｂ）側面図である。
【００１４】
図４（Ａ）のように、手洗い器または洗面器１を２台連立させ、その間に収納部９を設け、その中に図５（Ａ）のようにコンセント４が上部に設置され、その下に貯湯式温水器２が縦方向に２台設置され、その２台の貯湯式温水器２の間に止水栓１０を設置し、図５（Ｂ）のように、上部貯湯式温水器２の前方に水石けん入れ１１を２台設置した。収納部９の前面にはハンドドライヤー３を１台設置し、図４（Ｂ）のように、収納部９の上面にはドライカウンター８を設置した形態となっている。また、図４（Ａ）のように、ハンドドライヤー３が収納部９の前面についていることでハンドドライヤー３の位置が前方にでており、壁から手洗い器または洗面器１の先端までの距離と、壁からハンドドライヤー３の先端までの距離がほぼ同じになるようにする。
【実施例】
【００１５】
図４（Ａ）のように、壁に水平方向に連立して、手洗い器または洗面器１と、機能部を収納する収納部９が設置され、収納部９の中に、図５（Ａ）のように、電源を必要とする機能部２が収納され、前記収納部９の前面にハンドドライヤー３を設置することで、複数の電気差込口４を収納部９内に設けることができるため電気配線５Ｂのみの施工でよくなる。このことで、電気配線工事を簡略化することができる。また、手洗い器等からの水はねに対しても収納部９内にコンセント４が収納されているため、水がかかることがなく、コンセント自体に防水処理を施す必要もない。
【００１６】
ここで、コンセント４は図８に示すように、請求項１で示している前記収納部近傍とは、収納部の周り約１００ｍｍ以内（ａ）に設置すればよい。この程度の範囲内であれば図４（Ａ）のように電気配線５Ｂのみの配線の取り回しで対応できるため、別途電源配線を取りまわす必要がない。また、特に図８中に示すようにコンセント４が収納部の下面にあれば、手洗い器１から水はねした水が収納部９により遮断され、コンセントにかかることがないため、コンセント自体に防水処理を施す必要がなくなる。
【００１７】
また図４（Ａ）のように、壁に水平方向に連立して、手洗い器または洗面器１と、機能部を収納する収納部９が設置され、収納部９の中に、図５（Ａ）のように、給水口１０を必要とする機能部２が２台収納されていることで、給水口１０が一箇所となる。このことで、配管の施工が簡単になる。
【００１８】
図４（Ａ）のように、ハンドドライヤー３（前出約１９０ｍｍ）が収納部９（前出約２２０ｍｍ）の前面についていることでハンドドライヤー３の位置が壁面に対して前方にでており（壁から約４１０ｍｍ）、壁から手洗い器または洗面器１の先端までの距離（約４５０ｍｍ）と、壁からハンドドライヤー３の先端までの距離がほぼ同じ（±５０ｍｍ以内）になるように設置すれば、手洗い器または洗面器１とハンドドライヤー３の壁からの距離が近くなるので、手を洗った後にハンドドライヤー３の前に移動し、ハンドドライヤーに手を差し込み手を乾かすという移動距離を最小限に抑えることができる。したがって、ほぼ水滴を落さずにハンドドライヤー３で手を乾かすことができる。また、手を乾かす際に、奥に手を伸ばさなくてもよく腰に負担もかからない、洗面器に服等がかかり濡れることもなく、洗面器からの水跳ねもなくなる。
また、図６は、ハンドドライヤー使用時の人の状態を示した図である。（Ａ）はハンドドライヤーを壁に取り付けた場合、（Ｂ）はハンドドライヤーを収納部に取り付けた場合である。
図６（Ａ）のように、ハンドドライヤー３を直接壁に取り付けた場合は、ハンドドライヤー３を使用する時に、手を差し込むと頭部が壁７に接触するために使用しづらいが、図４に示すように収納部９の前面にハンドドライヤー３を配設することで使い勝手がよくなる。
【００１９】
図４（Ｂ）のように、壁に水平方向に連立して、手洗い器または洗面器１と、機能部を収納する収納部９を設置し、収納部９上面にドライカウンター８を設けた。このことで、ドライカウンター８があふれ面１８（手洗い器または洗面器１に水を溜め、一番はじめにあふれるフチを含む水平な面）よりも高くなるように設置されているので、手洗いによる水跳ねもほぼなく、水濡れのない物置として使用することができる。
【００２０】
図４（Ａ）のように、２連の手洗い器または洗面器１の中間に収納部９及びハンドドライヤー３を設置する。このことで、両方の手洗い器または洗面器１からハンドドライヤー３及びドライカウンター８までの距離が等しく短くなり、移動距離が短くなる。したがって、荷物をドライカウンター８に置き、手洗い器または洗面器１で手を洗い、ハンドドライヤー３で手を乾かし、ドライカウンター８に置いた荷物をとるという行動時間が短縮される。また、本発明では、手洗い器または洗面器１が２つに対して、ハンドドライヤー３は１つで対応できるため、各手洗い器または洗面器１に対してハンドドライヤー３を１つずつ設置する必要がなくなる。
【００２１】
図７のように、収納部９は前板１３、天板１２、収納部本体１７から構成されている。また、前板１３、および天板１２は収納部本体１７から着脱（開閉）可能に構成されている。このように、天板１２が開閉できるようになっていることで、コンセント４が天板１２のすぐ下に設置されていて、コンセント４の抜差しが容易にできる。また、水石けん入れ１１が天板１２のすぐ下に設置されていることで、水石けんの補給が容易になる。また、前板１３が開閉できるようになっていることで、内部に収納されている機能部（例えば、貯湯式温水器）のメンテナンスを行うことができる。前板１３が開閉不可能では、機能部のメンテナンス時に、天板を開けて機能部を取り外さなければならないが、開閉できることで、機能部を取り外すことなくメンテナンスできる。
【００２２】
図５（Ａ）のように、コンセント４が収納部９内の上部にあることで、貯湯式温水器２からの水漏れがあった場合でも貯湯式温水器２より上部にコンセント４があるためにコンセント４に水がかからなく、また、天板１２を開けることで、すぐに電源を抜差しすることができる。
【００２３】
図５（Ａ）のように、水石けん入れ１１を上部貯湯式温水器２の前方に置くことで、天板を開け、水石けん入れ１１を取り出し、水石けんの補給を行うことができる。
【００２４】
図４（Ｂ）のように、手洗い器または洗面器が設置されている側の収納部９の側面には、センサーコード、水石けんホース、給水給湯ホースを隠蔽するために化粧管１４が設けられている。このことで、外観には前記ホース類がほぼ現れず、美観を損なわない。
【００２５】
本発明では、電源コード、水石けんホース、給水給湯ホースを外部を通し、手洗い器または洗面器１下から接続しなければならない。そのため収納部には、図４（Ｂ）のように、そのホース類を隠蔽するために化粧管１４が設けられており、手洗い器または洗面器１の下方にまで伸ばしている。前記化粧管１４の固定方法は、図９（Ａ）のように、化粧管１４（ツバの付いた管）を収納部本体に空いた穴に通し、図９（Ｂ）のように、管固定板１５で収納部の内側からビスで固定する方法を用いている。また、化粧管１４の先端部は横受１６で固定されている。この固定方法を用いることで、美観を損なわず、固定強度も保たれる。
【００２６】
図１０は二連の手洗い器または洗面器１の間に収納部９を設置した場合の、収納部周りに最低限必要なスペースを示した図である。図１０のように、収納部９の左右には５０ｍｍから２００ｍｍのスペース（ｂ）が確保されていて、収納部９の下には５０ｍｍから１５０ｍｍのスペース（ｃ）が確保されていることが好ましい。これは、収納部９の左右は拭き掃除、下はモップ掃除を想定した場合に最低限必要な空間を確保した結果である。
【００２７】
図７のように、天板１２と収納部９をワイヤー１９で繋ぐことで天板１２の盗難防止の効果がある。
【図面の簡単な説明】
【００２８】
【図１】図１は、貯湯式温水器とハンドドライヤーを従来の設置位置に設置した時の電気配線である。（Ａ）は機能部とハンドドライヤーの取り付け壁が違う場合の図、（Ｂ）は機能部とハンドドライヤーの取り付け壁が同じ場合の図である。
【図２】図２は、ハンドドライヤーを従来の設置位置に設置した時の手洗いによる人の動作距離を示したものである。
【図３】図３は、複数の洗面器が連接した時のハンドドライヤーの従来の設置位置である。
【図４】図４は、本発明による洗面器、ハンドドライヤー、収納部の設置構造である。また、その時の電気配線と手洗い時の人の動作距離も示している。（Ａ）は平面図、（Ｂ）正面図である。
【図５】図５は、図４における収納部の内部の納まりである。（Ａ）は正面図、（Ｂ）側面図である。
【図６】図６は、ハンドドライヤー使用時の人の状態を示した図である。（Ａ）はハンドドライヤーを壁に取り付けた場合、（Ｂ）はハンドドライヤーを収納部に取り付けた場合である。
【図７】図７は、天板、前板が開閉できることを示した図である。
【図８】図８は、収納部近傍を示した図である。
【図９】図９は、化粧管の固定方法を示した図である。（Ａ）は化粧管を差し込む前、（Ｂ）は化粧管を差し込んだ後の図である。
【図１０】図１０は、収納部周囲のスペースを示した図である。
【符号の説明】
【００２９】
１：洗面器
２：貯湯式温水器の機能部
３：ハンドドライヤー
４：コンセント
５：電気配線、５Aは壁６内の電気配線、５Bは壁７内の電気配線
６：壁
７：壁
８：ドライカウンター
９：収納部
１０：止水栓
１１：水石けん入れ
１２：天板
１３：前板
１４：化粧管
１５：管固定板
１６：横受
１７：収納部本体
１８：あふれ面
１９：ワイヤー
ａ：寸法標記、１００ｍｍ
ｂ：寸法標記、５０ｍｍ〜２００ｍｍ
ｃ：寸法標記、５０ｍｍ〜１５０ｍｍ
【図１】
2006280450.tif 000003
【図２】
2006280450.tif 000004
【図３】
2006280450.tif 000005
【図４】
2006280450.tif 000006
【図５】
2006280450.tif 000007
【図６】
2006280450.tif 000008
【図７】
2006280450.tif 000009
【図８】
2006280450.tif 000010
【図９】
2006280450.tif 000011
【図１０】
2006280450.tif 000012
【手続補正書】
【提出日】平成17年4月15日(2005.4.15)
【手続補正１】
【補正対象書類名】図面
【補正対象項目名】図９
【補正方法】変更
【補正の内容】
【図９】
2006280450.tif 000013
【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
トイレ空間内に設置されるハンドドライヤーの設備ユニットにおいて、トイレ内の壁に水平方向に連立して、手洗い器または洗面器と、電源を必要とする機器の機能部を収納するための収納部とが設けられ、前記収納部内または近傍に電源差込口が備えられ、前記収納部の前面にハンドドライヤーが設置され、前記壁から前記手洗い器または前記洗面器の先端までの距離と、壁から前記ハンドドライヤーの先端までの距離がほぼ同じになるように設置したことを特徴とするハンドドライヤー設備ユニット。
【請求項２】
トイレ空間内に設置されるハンドドライヤーの設備ユニットにおいて、トイレ内の壁に水平方向に連立して、複数の手洗い器または洗面器が設けられ、前記複数の手洗い器または洗面器の間に電源を必要とする機器の機能部を収納するための収納部が設けられ、前記収納部内または近傍に電源差込口が設けられ、前記収納部の前面にハンドドライヤーが設置され、前記壁から前記手洗い器または前記洗面器の先端までの距離と、壁から前記ハンドドライヤーの先端までの距離がほぼ同じになるように設置したことを特徴とするハンドドライヤー設備ユニット。
【請求項３】
前記ハンドドライヤーは上方から手を差し込み手を乾かすことを特徴とする請求項１
または請求項２に記載のハンドドライヤー設備ユニット。
【手続補正２】
【補正対象書類名】明細書
【補正対象項目名】０００９
【補正方法】変更
【補正の内容】
【０００９】
上記目的を達成するために請求項１記載の発明によれば、トイレ空間内に設置されるハンドドライヤーの設備ユニットにおいて、トイレ内の壁に水平方向に連立して、手洗い器または洗面器と、電源を必要とする機器の機能部を収納するための収納部とが設けられ、前記収納部内または近傍に電源差込口が備えられ、前記収納部の前面にハンドドライヤーが設置され、前記壁から前記手洗い器または前記洗面器の先端までの距離と、壁から前記ハンドドライヤーの先端までの距離がほぼ同じになるように設置したことを特徴としている。
【手続補正３】
【補正対象書類名】明細書
【補正対象項目名】００１０
【補正方法】変更
【補正の内容】
【００１０】
上記目的を達成するために請求項２記載の発明によれば、トイレ空間内に設置されるハンドドライヤーの設備ユニットにおいて、トイレ内の壁に水平方向に連立して、複数の手洗い器または洗面器が設けられ、前記複数の手洗い器または洗面器の間に電源を必要とする機器の機能部を収納するための収納部が設けられ、前記収納部内または近傍に電源差込口が設けられ、前記収納部の前面にハンドドライヤーが設置され、前記壁から前記手洗い器または前記洗面器の先端までの距離と、壁から前記ハンドドライヤーの先端までの距離がほぼ同じになるように設置したことを特徴としている。
上記目的を達成するために請求項３記載の発明によれば、前記ハンドドライヤーは上方から手を差し込み手を乾かすことを特徴としている。
【手続補正４】
【補正対象書類名】明細書
【補正対象項目名】００１１
【補正方法】変更
【補正の内容】
【００１１】
このような構成にすることで、トイレ内の電源を必要とする機器を一箇所に集約することで、電源配線の簡略化ができるだけでなく、その機能部を収納部で覆うことにより、洗面器等からの水はねにより機能部自体に防水処理を施す必要がなくなる。また、その収納部の前面にハンドドライヤーを設置することで、直接壁にハンドドライヤーが設置されていた場合は、ハンドドライヤーまでの距離が遠いため、腰を曲げなければならないなどの理由から、手を乾かし難いという問題も同時に解決することができる。
また、壁から手洗い器または洗面器の先端までの距離と、壁からハンドドライヤーの先端までの距離がほぼ同じになるように設置したことで、手を洗った後にハンドドライヤーの前に移動し、ハンドドライヤーに手を差し込み手を乾かすという移動距離を最小限に抑えることができる。したがって、ほぼ水滴を落さずにハンドドライヤーで手を乾かすことができる。また、手を乾かす際に、奥に手を伸ばさなくてもよく腰に負担もかからない、洗面器に服等がかかり濡れることもなく、洗面器からの水跳ねもなくなる。
また、ハンドドライヤーを直接壁に取り付けた場合は、ハンドドライヤーを使用する時に、手を差し込むと頭部が壁に接触するために使用しづらいが、本発明のように壁から手洗い器または洗面器の先端までの距離と、壁からハンドドライヤーの先端までの距離がほぼ同じになるようにハンドドライヤー設備ユニットを設置することで、このようなことが生じず使い勝手がよくなる。